(57)【要約】      （修正有）【課題】一つの屋根貫通煙突用雨水侵入防止装置で瓦部分の高さに幅広く対応する。【解決手段】屋根Ａに貫通された煙突Ｂが挿通される煙突挿通口２０を有し、煙突Ｂが挿通した状態で屋根に載置固定されるベース部２と、煙突挿通口２０と連通するようにベース部２と一体に立設され、煙突挿通口２０に挿通された煙突Ｂを挿通支持する煙突挿通管部３と、煙突挿通管部３が挿通される煙突挿通管部挿通口４０を有し、煙突挿通管部挿通口４０に煙突挿通管部３を挿通するとともに、ベース部２との間に瓦Ｃを介在した状態でベース部２と対面するように装着されるトップカバー部４と、ベース部２とトップカバー部４との間に設けられ、ベース部２に対してトップカバー部４を近接・離間させるように支持して、ベース部４との間隔を長短調節する間隔調整部５とを備えた。【選択図】図１
2012057446.tif 000002
【特許請求の範囲】
【請求項１】
屋根に貫通された煙突が挿通される煙突挿通口を有し、前記煙突が挿通した状態で屋根に載置固定されるベース部と、前記煙突挿通口と連通するように前記ベース部と一体に立設され、該煙突挿通口に挿通された前記煙突を挿通支持する煙突挿通管部と、前記煙突挿通管部が挿通される煙突挿通管部挿通口を有し、該煙突挿通管部挿通口に前記煙突挿通管部を挿通するとともに、前記ベース部との間に瓦を介在した状態で該ベース部と対面するように装着されるトップカバー部と、前記ベース部と前記トップカバー部との間に設けられ、前記ベース部に対して前記トップカバー部を近接・離間させるように支持して、該ベース部との間隔を長短調節する間隔調整部と、を備えていることを特徴とする屋根貫通煙突用雨水侵入防止装置。
【請求項２】
前記間隔調整部は、前記ベース部に設けられた支持体と、該支持体に上下動可能に連結されるとともに、前記トップカバー部を支持する移動体と、前記支持体と前記移動体を固定及び固定解除する固定部とを備えたことを特徴とする請求項１記載の屋根貫通煙突用雨水侵入防止装置。
【請求項３】
前記間隔調整部は、前記ベース部に設けられ、前記煙突挿通管部が突設された支持体と、該支持体の側面に上下動可能に連結されるとともに、前記トップカバー部を支持する移動体と、前記支持体と前記移動体を固定及び固定解除する固定部と、を備え、前記煙突挿通管部挿通口が前記支持体に対して上下スライド可能、且つ適合状に嵌合されていることを特徴とする請求項１記載の屋根貫通煙突用雨水侵入防止装置。
【請求項４】
前記支持体の形状が真円を除く形状であることを特徴とする請求項３記載の屋根貫通煙突用雨水侵入防止装置。
【請求項５】
前記支持体の水上側端部の形状が、水下側から水上側へ窄まる形状であることを特徴とする請求項３又は４記載の屋根貫通煙突用雨水侵入防止装置。
【請求項６】
前記煙突挿通管部の軸線が鉛直方向に屋根を貫通する煙突の軸線と平行となるように、該煙突挿通管部が前記ベース部に対して傾斜状に立設された屋根貫通煙突用雨水侵入防止装置であって、前記煙突挿通管部挿通口の径を、前記トップカバー部が前記ベース部に最も接近した位置における前記煙突挿通管部の最大径と同径とし、前記ベース部に対する前記トップカバー部の接近・離間動作時において生じる前記トップカバー部の位置のずれを吸収するずれ吸収部を備えていることを特徴とする請求項１又は２記載の屋根貫通煙突用雨水侵入防止装置。
【発明の詳細な説明】
【技術分野】
【０００１】
本発明は、屋根を貫通して設置される煙突用の雨水侵入防止装置に関する。
【背景技術】
【０００２】
屋根貫通煙突用雨水侵入防止装置は、中空部に沿って突片が設けられた矩形状ベース板と、この矩形状ベース板の突片に嵌まる台部から円筒部を突出させた煙突支持台と、該煙突支持台の円筒部先端に固定されるカラーと、該煙突支持台上に設置される中空状の瓦押さえ板とから構成されているものが知られている。下記特許文献１の屋根貫通煙突用雨水侵入防止装置は、矩形状ベース板の突片に円筒部に煙突を通した状態で台部を嵌合することで煙突支持台を設置し、更に、矩形状ベース板上に瓦を敷きつめ、瓦押さえ板を煙突支持台上に載置固定することで屋根に設置するようになっている。
【先行技術文献】
【特許文献】
【０００３】
【特許文献１】意匠登録１１８５２９２号公報
【発明の概要】
【発明が解決しようとする課題】
【０００４】
しかしながら、特許文献１に記載の従来技術では、矩形状ベース板と瓦押さえ板との間隔が一定なものであるため、瓦部分の高さに対する対応幅が極めて狭いものであった。すなわち、瓦の厚みや形状によって瓦部分の高さが、矩形状ベース板と瓦押さえ板との間隔を越えてしまうと、瓦押さえ板を煙突支持台に対して正確に載置固定できず、屋根貫通煙突用雨水侵入防止装置の正常な設置が行えないという問題があった。
【０００５】
本発明は、このような問題に対処することを課題の一例とするものである。すなわち、瓦部分の高さに対して幅広く対応できること、瓦部分の高さに対して幅広く対応することで、屋根貫通煙突用雨水侵入防止装置を正常に設置できること、一つの屋根貫通煙突用雨水侵入防止装置で瓦部分の高さに幅広く対応できること、一つの屋根貫通煙突用雨水侵入防止装置で瓦部分の高さに幅広く対応することで、屋根貫通煙突の設置コストを低減できること、等が本発明の目的である。
【課題を解決するための手段】
【０００６】
このような目的を達成するために、本発明による屋根貫通煙突用雨水侵入防止装置は、以下の構成を少なくとも具備するものである。
【０００７】
屋根に貫通された煙突が挿通される煙突挿通口を有し、前記煙突が挿通した状態で屋根に載置固定されるベース部と、前記煙突挿通口と連通するように前記ベース部と一体に立設され、該煙突挿通口に挿通された前記煙突を挿通支持する煙突挿通管部と、前記煙突挿通管部が挿通される煙突挿通管部挿通口を有し、該煙突挿通管部挿通口に前記煙突挿通管部を挿通するとともに、前記ベース部との間に瓦を介在した状態で該ベース部と対面するように装着されるトップカバー部と、前記ベース部と前記トップカバー部との間に設けられ、前記ベース部に対して前記トップカバー部を近接・離間させるように支持して、該ベース部との間隔を長短調節する間隔調整部と、を備えていることを特徴とする。
【発明の効果】
【０００８】
このような特徴を有することで本発明は以下の効果を奏する。すなわち、瓦部分の高さに応じて、間隔調整部によりベース部とトップカバー部との間隔を長短調節するようになっているので、瓦部分の高さに対して幅広く対応できる。瓦部分の高さに対して幅広く対応することで、屋根貫通煙突用雨水侵入防止装置を正常に設置できるとともに、一つの屋根貫通煙突用雨水侵入防止装置で瓦部分の高さに幅広く対応できる。一つの屋根貫通煙突用雨水侵入防止装置で瓦部分の高さに幅広く対応することで、屋根貫通煙突の設置コストを低減できる。
【図面の簡単な説明】
【０００９】
【図１】屋根貫通煙突用雨水侵入防止装置の第１実施形態を示す断面図。
【図２】図１の平面図。
【図３】図１の（３）-（３）線断面図。
【図４】図２の（４）-（４）線断面図。
【図５】トップカバー部をベース部から離間させた状態を示す断面図。
【図６】屋根貫通煙突用雨水侵入防止装置の第２実施形態を示す断面図。
【図７】図６の平面図。
【図８】図６の（８）-（８）線断面図。
【図９】トップカバー部をベース部から離間させた状態を示す断面図。
【発明を実施するための形態】
【００１０】
間隔調整部は、ベース部に対してトップカバー部を接近・離間させることができる構成であればよく、例えば、ベース部に設けられた支持体と、この支持体に上下動可能に連結されるとともに、トップカバー部を支持する移動体と、支持体と移動体を固定及び固定解除する固定部とを備えた構成が挙げられる。
【００１１】
また、間隔調整部の他の構成として、ベース部に設けられ、煙突挿通管部が突設された支持体と、支持体の側面に上下動可能に連結されるとともに、トップカバー部を支持する移動体と、を備え、煙突挿通管部挿通口が支持体に対して上下スライド可能、且つ適合状に嵌合された構成が挙げられる。この構成の間隔調整部の場合、支持体の形状が真円を除く形状であることが好ましい。更に、支持体の水上側端部の形状が、水下側から水上側へ窄まる形状であることが好ましい。
【００１２】
煙突挿通管部の軸線が鉛直方向に屋根を貫通する煙突の軸線と平行となるように、煙突挿通管部がベース部に対して傾斜状に立設された屋根貫通煙突用雨水侵入防止装置である場合、前記煙突挿通管部挿通口の径を、前記トップカバー部が前記ベース部に最も接近した位置における前記煙突挿通管部の最大径と同径とし、ベース部に対するトップカバー部の接近・離間動作時において生じるトップカバー部の位置のずれを吸収するずれ吸収部を備えることが好ましい。
【００１３】
以下、本発明に係る実施形態の屋根貫通煙突用雨水侵入防止装置（以下、「雨水侵入防止装置」という）１を図面に基づいて説明する。図１〜図５は、雨水侵入防止装置１の第１実施形態を示し、図６〜図９は、雨水侵入防止装置１の第２実施形態を示す。
【００１４】
図１及び図２は、第１実施形態の雨水侵入防止装置１の構成図である。雨水侵入防止装置１は、屋根Ａに貫通された煙突Ｂが挿通される煙突挿通口２０を有し、この煙突挿通口２０に煙突Ｂを挿通させた状態で屋根Ａに設置されるベース部２と、煙突挿通口２０と連通するようにベース部２に一体に立設され、煙突挿通口２０に挿通された煙突Ｂを挿通支持する煙突挿通管部３と、煙突挿通管部３が挿通する煙突挿通管部挿通口４０を有し、煙突挿通管部挿通口４０に煙突挿通管部３を挿通するとともに、ベース部２との間に瓦Ｃを介在した状態でベース部２と対面するように装着されるトップカバー部４と、ベース部２とトップカバー部４との間に設けられ、ベース部２に対してトップカバー部４を近接・離間させるように支持して、ベース部２との間隔を長短調節する間隔調整部５とを備えている。
【００１５】
また、雨水侵入防止装置１は、煙突挿通管部３の軸線が鉛直方向に屋根Ａを貫通する煙突Ｂの軸線と平行となるように、煙突挿通管部３がベース部２に対して傾斜状に立設されている。また、このような雨水侵入防止装置１には、ベース部２に対するトップカバー部４の接近・離間動作時において生じるトップカバー部４の位置のずれを吸収するずれ吸収部６が備えられている。
【００１６】
ベース部２は、矩形状を呈し、水下側縁に瓦Ｃに被せるエプロン材２１が形成され、他の縁が補強のために上方に折り曲げ加工されている。煙突挿通口２０は、煙突Ｂの径よりも大径であり、且つ煙突挿通管部３の最大径部の内径と同径に開口されている。
【００１７】
煙突挿通管部３は、上端内径が挿通される煙突Ｂがガタツキなく適合する径として、下端側から上端側へ先窄まり状となるように形成されている。煙突挿通管部３は、ベース部２と一体成形又は溶接等により一体に接続されている。煙突挿通管部３の上端には、挿通された煙突Ｂのガタツキを押さえるカラー３０が取付けられている。
【００１８】
トップカバー部４は、矩形状を呈し、周囲縁が補強のために下方に折り曲げ形成されている。トップカバー部４の表面には、ずれ吸収部６である複数の長孔（図示では６個）が開孔されており、このずれ吸収部６にボルト６０を貫通させて、貫通させたボルト６０を間隔調整部５に螺合締め付けすることによって、トップカバー部４とベース部２とを一体化するようになっている。
【００１９】
煙突挿通管挿通口４０は、間隔調整部５がトップカバー部４を最もベース部２に接近させた状態で支持したときに、煙突挿通管部３の外周と適合する形状に形成されており、間隔調整部５の調整範囲において、煙突挿通管挿通口４０と先窄まり形状の煙突挿通管部３との間で生じる隙間を最小に留めることができるようになっている。
【００２０】
図３〜図５は、間隔調整部５及びずれ吸収部６の構成図である。間隔調整部５は、ベース部２の表面に、屋根Ａの傾斜方向と直交する方向で煙突挿通管部３を挟むように立設された２個の支持体５０と、支持体５０の夫々に上下動可能に連結されるとともに、ボルト６０を螺合締め付けすることでトップカバー部４を支持する移動体５１と、支持体５０に対して移動体５１を固定及び固定解除する固定部５２とを備えている。
【００２１】
支持体５０は、長手方向が屋根Ａの傾斜方向に沿う方向とする板状体のものであり、ベース部２の表面に対して溶接等により固定されている。移動体５１は、長手方向の長さが支持体５０の長手方向の長さと同じ長さとする板状体のものであり、上端にトップカバー部４を支持する支持面５３が形成されている。支持面５３には、ボルト６０が螺合されるボルト孔５４が開孔されている。固定部５２は、移動体５１の側面に長手方向を上下方向とする長孔５２Ａと、支持体５０の側面に開孔されたボルト孔５２Ｂと、長孔５２Ａを貫通してボルト孔５２Ｂに螺合締め付けされるボルト５２Ｃとから構成され、ボルト５２Ｃを緩めることで移動体５１を上下動させ、ボルト５２Ｃを締め付けることで移動体５１を支持体５０に固定するようになっている。
【００２２】
このような構成の間隔調整部５によると、ボルト５２Ｃを緩めて移動体５１を上下動させることによって、トップカバー部４をベース部２に対して接近・離間させて、その高さを調節し、目的の高さでボルト５２Ｃを締め付けて移動体５１を固定することによって、トップカバー部４を目的の高さに設定することができる。
【００２３】
間隔調整部５の調整幅は、任意であるが、例えば、現在使用されている既成の瓦Ｃの最小高さから最大高さまで対応できる調整幅であれば、現在使用されている瓦Ｃの全てに対応することができ、現在使用されている瓦Ｃの最小高さから最大高さを越える高さまで対応できる調整幅であれば、既成の瓦Ｃの高さを越える高さの瓦Ｃにも対応できる。
【００２４】
ずれ吸収部６は、前述の長孔であり、支持面５３に開孔されたボルト孔５４と対面し、長手方向が屋根Ａの傾斜方向に沿う方向として開孔されている。すなわち、ボルト６０を緩めることによって、トップカバー部４を屋根Ａの傾斜方向に沿ってスライドさせることができる。このため、間隔調整部５の調整動作時において、トップカバー部４が煙突挿通管部３の軸線方向に沿ってスライドした際に、トップカバー部４の位置がボルト孔５４に対して屋根Ａの傾斜方向に沿ってずれるが、ずれ吸収部６の長孔構造がこのずれを吸収することによって、ボルト６０をずれ吸収部６を介してボルト孔５４に螺合締め付けすることができる。
【００２５】
ここでは、ずれ吸収部６を、片側３個ずつとしているが、このずれ吸収部６の数は、任意である。また、ずれ吸収部６の長手方向の長さは、間隔調整部５によるトップカバー部４の煙突挿通管部３の軸線に沿うスライド時に、トップカバー部３が屋根Ａの傾斜方向に沿ってずれる距離と同じ長さ、或いは、この距離以上の長さである。
【００２６】
このような雨水侵入防止装置１によれば、間隔調整部５によって、ベース部２とトップカバー部４との距離を瓦Ｃの高さに応じて長短調節することができるので、多様な高さの瓦Ｃに幅広く対応することができる。したがって、一つの雨水侵入防止装置１で瓦Ｃの高さに幅広く対応することができるので、屋根貫通煙突の設置コストを低減できる。
【００２７】
更に、ずれ吸収部６の長孔構造によって、トップカバー部４の屋根Ａの傾斜方向に沿うずれを吸収して、ボルト６０によるトップカバー部４と間隔調整部５との固定を行うことができる。したがって、煙突挿通管部３の軸線が鉛直方向に屋根Ａを貫通する煙突Ｂの軸線と平行となるように、煙突挿通管部３がベース部２に対して傾斜状に立設され、ベース部２に対するトップカバー部４の接近・離間が煙突挿通管部３の軸線方向に沿って行われる構成においても、トップカバー部４をベース部２に対して接近・離間させることができるとともに、間隔調整部５に固定することができる。
【００２８】
次に、第２実施形態の雨水侵入防止装置１を説明する。図６〜図７は、雨水侵入防止装置１の構成図、図８及び図９は、間隔調整部５の構成図である。雨水侵入防止装置１は、第１実施形態におけるずれ吸収部６がないものである。尚、第１実施形態と重複する部位についての説明は、図面に同符号を付すことにより省略する。
【００２９】
間隔調整部５は、ベース部２に設けられ、煙突挿通管部３が突設された支持体５０と、支持体５０の側面に上下動可能に連結されるとともに、トップカバー部４を支持する移動体５１とを備えた構成としたものである。支持体５０は、平面視水上側を頂点とする五角形として形成されており、側面に移動体５１が上下動可能に設けられている。移動体５１には支持面５５が設けられており、この支持面５５にトップカバー部４を貫通してボルト５６を螺合締め付けすることで、移動体５１にトップカバー部４を固定している。
【００３０】
トップカバー部４に開口された煙突挿通管挿通口４０は、支持体５０の平面形状と適合する平面形状に形成されており、この煙突挿通管挿通口４０を支持体５０に上下動可能に嵌合することによって、トップカバー部４が支持体５０に案内されて上下動するようになっている。トップカバー部４が上下動する範囲の上限は、煙突挿通管挿通口４０の周縁が支持体５０の上端と同じ高さであることが、トップカバー部４の上下動を支持体５０が案内するということから好ましいが、本発明では、トップカバー部４が上下動する範囲の上限を限定するものではない。
【００３１】
このような雨水侵入防止装置１によれば、間隔調整部５によって、ベース部２とトップカバー部４との距離を瓦Ｃの高さに応じて長短調節することができるので、多様な高さの瓦Ｃに幅広く対応することができる。したがって、一つの雨水侵入防止装置１で瓦Ｃの高さに幅広く対応することができるので、屋根貫通煙突の設置コストを低減できる。
【００３２】
しかも、ずれ吸収部６がなくても、煙突挿通管部３の軸線が鉛直方向に屋根Ａを貫通する煙突Ｂの軸線と平行となるように、煙突挿通管部３がベース部２に対して傾斜状に立設され、ベース部２に対するトップカバー部４の接近・離間が煙突挿通管部３の軸線方向に沿って行われる構成においても、トップカバー部４をベース部２に対して接近・離間させることができるとともに、間隔調整部５に固定することができる。更に、平面視五角形状に形成された支持体５０と煙突挿通管挿通口４０とが適合して嵌合しているため、支持体５０に対するトップカバー部４の位置のずれを防止することができる。また、支持体５０の平面視五角形状の頂点を水上側に位置させているので、水上側から水下側へ流れる雨水を支持体５０に滞留させることなく流すことができる。
【００３３】
尚、本発明は、例示した実施の形態に限定するものではなく、特許請求の範囲の各項に記載された内容から逸脱しない範囲の構成による実施が可能である。
【符号の説明】
【００３４】
１：雨水侵入防止装置（屋根貫通煙突用雨水侵入防止装置）
２：ベース部
３：煙突挿通管部
４：トップカバー部
５：間隔調整部
６：ずれ吸収部
２０：煙突挿通口
４０：煙突挿通管部挿通口
５０：支持体
５１：移動体
５２：固定部
Ａ：屋根
Ｂ：煙突
Ｃ：瓦
【図１】
2012057446.tif 000003
【図２】
2012057446.tif 000004
【図３】
2012057446.tif 000005
【図４】
2012057446.tif 000006
【図５】
2012057446.tif 000007
【図６】
2012057446.tif 000008
【図７】
2012057446.tif 000009
【図８】
2012057446.tif 000010
【図９】
2012057446.tif 000011